(57)【要約】【課題】  組立や配線が容易に行える負荷試験装置を提供する。【解決手段】  負荷試験装置は、複数の第１抵抗器と、複数の第１抵抗器を保持する第１保持部を有する第１抵抗ユニットと、複数の第１抵抗器に冷却風を送り込む冷却装置を含む第１冷却部と、試験対象電源に接続される電源端子部と操作部とを含む制御部と、電源端子部と第１抵抗ユニットに接続されるスイッチング装置を含むリレー部とを備える。第１冷却部における冷却装置は、第１保持部の１つの第１開口と対向する。第１冷却部と第１抵抗ユニットは、第１方向（ｘ方向）と第２方向（ｙ方向）に垂直な第３方向（ｚ方向）に並べられ、第１抵抗ユニットと第１冷却部を含む第１負荷試験部とリレー部と制御部は第１方向に並べられる。【選択図】図２１
2020106548.tif 000002
【特許請求の範囲】
【請求項１】
複数の第１抵抗器と、前記複数の第１抵抗器を保持する第１保持部を有する第１抵抗ユニットと、
複数の第２抵抗器と、前記複数の第２抵抗器を保持する第２保持部を有する第２抵抗ユニットとを備え、
前記第２保持部は、第２碍子を介して、前記第１保持部の上に配置され、
前記第２碍子は、前記第１保持部の上部から前記水平方向に突出する第１上突起部と、前記第２保持部の下部から前記水平方向に突出する第２下突起部との間に取り付けられることを特徴とする負荷試験装置。
【請求項２】
複数の第３抵抗器と、前記複数の第３抵抗器を保持する第３保持部を有する第３抵抗ユニットを更に備え、
前記第３保持部は、第３碍子を介して、前記第２保持部の上に配置され、
前記第１抵抗ユニットの下面と側面と、前記第２抵抗ユニットの側面と、前記第３抵抗ユニットの上面と側面は、筐体に覆われ、
前記第３碍子は、前記第２保持部の上部から前記水平方向に突出する第２上突起部と、前記第３保持部の下部から前記水平方向に突出する第３下突起部との間に取り付けられることを特徴とする請求項１に記載の負荷試験装置。
【請求項３】
前記第１保持部は、第１碍子を介して、前記第１抵抗ユニットを保持する筐体の上に配置され、
前記第１碍子は、前記第１保持部の下部から前記水平方向に突出する第１下突起部と、前記筐体の間に取り付けられ、
前記第１上突起部は、水平方向から見て略Ｌ字形状を有し、水平面と平行な第１面と、水平面と垂直な第２面を有し、
前記第１上突起部と前記第２下突起部は、それぞれ、水平方向から見て略Ｌ字形状を有し、水平面と平行な第３面と、水平面と垂直な第４面を有し、
前記第１碍子は、前記第１下突起部の前記第３面と、前記筐体との間に取り付けられ、
前記第２碍子は、前記第２下突起部の前記第３面と、前記第１上突起部の前記第１面との間に取り付けられる、請求項１に記載の負荷試験装置。
【請求項４】
前記複数の第１抵抗器に冷却風を送り込む冷却装置を含む第１冷却部と前記第１抵抗ユニットの間には、冷却風を拡散させる拡散部が設けられ、
前記拡散部は、付勢により、前記第１冷却部の排気口を閉じる開閉扉で構成され、
前記開閉扉は、前記第１冷却部から排出される冷却風により開かれることを特徴とする請求項1に記載の負荷試験装置。
【請求項５】
前記複数の第１抵抗器に冷却風を送り込む冷却装置を含む第１冷却部の吸気口と排気口と前記第１抵抗ユニットの排気口の少なくとも１つには、付勢によって閉じ、第１冷却部の冷却風によって開く開閉扉が設けられることを特徴とする請求項１に記載の負荷試験装置。
【請求項６】
前記複数の第１抵抗器に冷却風を送り込む冷却装置を含む第１冷却部と、
前記複数の第２抵抗器に冷却風を送り込む冷却装置を含む第２冷却部と、
試験対象電源に接続される電源端子部と、操作部とを含む制御部と、
前記電源端子部と前記第１抵抗ユニットに接続される第１スイッチング装置と、前記電源端子部と前記第２抵抗ユニットに接続される第２スイッチング装置を含むリレー部とを更に備え、
前記第１冷却部と前記第１抵抗ユニットは、前記複数の第１抵抗器のそれぞれが延びる第１方向と前記第１方向に垂直で前記複数の第１抵抗器が並べられる第２方向に垂直な第３方向に並べられ、
前記第１抵抗ユニットと前記第２抵抗ユニットを含む抵抗ユニットと、前記第１冷却部と前記第２冷却部を含む冷却部を有する抵抗グループと、前記リレー部が、複数組設けられ、
前記複数組の抵抗グループは、前記制御部と接続され、
複数組の抵抗グループが前記第１方向に並べられることを特徴とする請求項１に記載の負荷試験装置。
【請求項７】
前記複数組の抵抗グループは、第１の抵抗グループと第２の抵抗グループを有し、
前記第１の抵抗グループにおける前記第１抵抗ユニットへの電力供給制御を行う、前記第１の抵抗グループにおける前記リレー部の前記スイッチング装置の数は、前記第２の抵抗グループにおける前記第１抵抗ユニットへの電力供給制御を行う、前記第２の抵抗グループにおける前記リレー部の前記スイッチング装置よりも多いことを特徴とする請求項６に記載の負荷試験装置。
【請求項８】
前記第１抵抗ユニットを含む抵抗ユニットと、前記第１冷却部を含む冷却部を有する抵抗グループが、複数組設けられ、
前記複数組の抵抗グループのうち少なくとも１つは、前記リレー部を介して前記制御部と接続され、前記複数組の抵抗グループのうち残りは、前記リレー部を介さずに、前記制御部若しくは前記複数組の抵抗グループのうち残りの前記抵抗ユニットに設けられたＶＣＳを介して前記制御部と接続されることを特徴とする請求項６に記載の負荷試験装置。
【請求項９】
前記第１抵抗ユニットの排気口には、排気口用フードが設けられ、
前記排気口用フードには、閉じた状態になるように付勢され、前記複数の第１抵抗器に冷却風を送り込む冷却装置を含む第１冷却部からの冷却風によって開いた状態にされることを特徴とする請求項１に記載の負荷試験装置。
【請求項１０】
試験対象電源に接続される電源端子部と、操作部とを含む制御部と、
前記電源端子部と前記第１抵抗ユニットに接続される第１スイッチング装置と、前記電源端子部と前記第２抵抗ユニットに接続される第２スイッチング装置を含むリレー部とを更に備え、
前記第１抵抗ユニットの排気口には、第１排気口用フードが設けられ、
前記複数の第１抵抗器に冷却風を送り込む冷却装置を含む第１冷却部の吸気口には、第１吸気口用フードが設けられ、
前記第２抵抗ユニットの排気口には、第２排気口用フードが設けられ、
前記複数の第２抵抗器に冷却風を送り込む冷却装置を含む第２冷却部の吸気口には、第２吸気口用フードが設けられ、
前記第１抵抗ユニットと、前記第２抵抗ユニットと、前記第１冷却部と、前記第２冷却部と、前記制御部と、前記リレー部を覆う筐体の上部を覆う屋根部と、
前記筐体の下部に設けられた土台部とを更に備え、
前記屋根部は、寄棟造であることを特徴とする請求項１に記載の負荷試験装置。
【請求項１１】
試験対象電源に接続される電源端子部と、操作部とを含む制御部と、
前記電源端子部と前記第１抵抗ユニットに接続される第１スイッチング装置と、前記電源端子部と前記第２抵抗ユニットに接続される第２スイッチング装置を含むリレー部とを更に備え、
前記第１抵抗ユニットの排気口には、上方向若しくは斜め上方向に開口する第１排気口用フードが設けられ、
前記複数の第１抵抗器に冷却風を送り込む冷却装置を含む第１冷却部の吸気口には、上方向若しくは斜め上方向に開口する第１吸気口用フードが設けられ、
前記第２抵抗ユニットの排気口には、上方向若しくは斜め上方向に開口する第２排気口用フードが設けられ、
前記複数の第２抵抗器に冷却風を送り込む冷却装置を含む第２冷却部の吸気口には、上方向若しくは斜め上方向に開口する第２吸気口用フードが設けられ、
前記第１抵抗ユニットと、前記第２抵抗ユニットと、前記第１冷却部と、前記第２冷却部と、前記制御部と、前記リレー部を覆う筐体と、前記第１排気口用フードと、前記第２排気口用フードと、前記第１吸気口用フードと、前記第２吸気口用フードの上部を覆う屋根部とを更に備えることを特徴とする請求項１に記載の負荷試験装置。
【請求項１２】
複数の第１抵抗器と、前記複数の第１抵抗器を保持する第１保持部を有する第１抵抗ユニットと、
複数の第２抵抗器と、前記複数の第２抵抗器を保持する第２保持部を有する第２抵抗ユニットを備え、
前記第２保持部は、第２碍子を介して、前記第１保持部の上に配置され、
前記第２碍子は、前記第１突出領域の上部と、前記第２保持部から前記水平方向に突出する第２突出領域の下部との間に取り付けられることを特徴とする負荷試験装置。
【請求項１３】
複数の第３抵抗器と、前記複数の第３抵抗器を保持する第３保持部を有する第３抵抗ユニットを更に備え、
前記第３保持部は、第３碍子を介して、前記第２保持部の上に配置され、
前記第１抵抗ユニットの下面と側面と、前記第２抵抗ユニットの側面と、前記第３抵抗ユニットの上面と側面は、前記筐体に覆われ、
前記第３碍子は、前記第２突出領域の上部と、前記第３保持部から前記水平方向に突出する第３突出領域の下部との間に取り付けられることを特徴とする請求項１２に記載の負荷試験装置。
【請求項１４】
前記第１保持部は、第１碍子を介して、前記第１抵抗ユニットを保持する筐体の上に配置され、
前記第１碍子は、前記第１保持部から前記水平方向に突出する第１突出領域の下部と、前記筐体の間に取り付けられ、
前記第１突出領域は、前記水平方向から見て矩形形状の枠で構成され、
前記第２突出領域は、前記水平方向から見て矩形形状の枠で構成されることを特徴とする請求項１２に記載の負荷試験装置。
【発明の詳細な説明】
【技術分野】
【０００１】
本発明は、負荷試験装置に関する。
【背景技術】
【０００２】
従来、特許文献１のように、発電機の負荷試験を行う負荷試験装置であって、複数の冷却装置と複数の抵抗ユニットで構成されるものが提案されている。
【先行技術文献】
【特許文献】
【０００３】
【特許文献１】特開平０９−１５３０７号公報
【発明の概要】
【発明が解決しようとする課題】
【０００４】
しかしながら、抵抗ユニットなどの各部の組立や配線が煩雑となっていた。
【０００５】
したがって本発明の目的は、組立や配線が容易に行える負荷試験装置を提供することである。
【課題を解決するための手段】
【０００６】
本発明に係る負荷試験装置は、複数の第１抵抗器と、複数の第１抵抗器を保持する第１保持部を有する第１抵抗ユニットと、複数の第１抵抗器に冷却風を送り込む冷却装置を含む第１冷却部と、試験対象電源に接続される電源端子部と、操作部とを含む制御部と、電源端子部と第１抵抗ユニットに接続されるスイッチング装置を含むリレー部とを備える。第１冷却部における冷却装置は、第１保持部の１つの第１開口と対向する。第１冷却部と第１抵抗ユニットは、複数の第１抵抗器のそれぞれが延びる第１方向と第１方向に垂直で複数の第１抵抗器が並べられる第２方向に垂直な第３方向に並べられる。第１抵抗ユニットと第１冷却部を含む第１負荷試験部とリレー部と制御部は第１方向に並べられる。
【０００７】
また、かかる配置により、狭いスペース内に効率良く負荷試験装置の部材を並べることが可能になり、各部の組立、制御部から抵抗ユニットへの配線、制御部から冷却部への配線が容易に行える。
【０００８】
好ましくは、負荷試験装置は、複数の第２抵抗器と、複数の第２抵抗器を保持する第２保持部を有する第２抵抗ユニットと、複数の第２抵抗器に冷却風を送り込む冷却装置を含む第２冷却部とを更に備える。第１保持部は、第１碍子を介して、第１抵抗ユニットを保持する筐体に上に配置される。第２保持部は、第２碍子を介して、第１保持部の上に配置される。第２冷却部における冷却装置は、第２保持部の１つの第２開口と対向する。第１碍子は、第１保持部の下部から水平方向に突出する第１下突起部と、筐体の間に取り付けられる。第２碍子は、第１保持部の上部から水平方向に突出する第１上突起部と、第２保持部の下部から水平方向に突出する第２下突起部との間に取り付けられる。
【０００９】
上突起部の下部、及び下突起部の上部の空きスペースを使って、碍子をネジ止めしたり出来るので、保持部の下部に取り付けられる形態に比べて、碍子の取り付けを容易に出来る。
【００１０】
さらに好ましくは、負荷試験装置は、複数の第３抵抗器と、複数の第３抵抗器を保持する第３保持部を有する第３抵抗ユニットと、複数の第３抵抗器に冷却風を送り込む冷却装置を含む第３冷却部とを更に備る。第３保持部は、第３碍子を介して、第２保持部の上に配置される。第３冷却部における冷却装置は、第３保持部の１つの第３開口と対向する。第１抵抗ユニットの下面と側面と、第２抵抗ユニットの側面と、第３抵抗ユニットの上面と側面は、筐体に覆われる。第３碍子は、第２保持部の上部から水平方向に突出する第２上突起部と、第３保持部の下部から水平方向に突出する第３下突起部との間に取り付けられる。
【００１１】
また、好ましくは、第１冷却部と第１抵抗ユニットの間には、冷却風を拡散させる拡散部が設けられる。拡散部は、付勢により、第１冷却部の排気口を閉じる開閉扉で構成される。開閉扉は、第１冷却部から排出される冷却風により開かれる。
【００１２】
拡散部を冷却部と抵抗ユニットの間に設けることにより、冷却風を第１方向などに拡散させ、抵抗器の全体に略均一に冷却風を触れさせることが可能になる。
【００１３】
また、好ましくは、第１冷却部の吸気口と排気口と第１抵抗ユニットの排気口の少なくとも１つには、付勢によって閉じ、第１冷却部の冷却風によって開く開閉扉が設けられる。
【００１４】
不使用時は、抵抗ユニット３０に風が流れないので、埃などが外部から侵入しにくくなる。
【００１５】
また、好ましくは、第１抵抗ユニットを含む抵抗ユニットと、第１冷却部を含む冷却部を有する抵抗グループと、リレー部が、複数組設けられる。複数組の抵抗グループは、制御部と接続される。複数組の抵抗グループが第３方向に並べられる。
【００１６】
これにより、第１の抵抗グループだけが設けられる形態に比べて、制御部を共用しながら、負荷量の大きい負荷試験を行うことが可能になる。
【００１７】
さらに好ましくは、複数組の抵抗グループは、第１の抵抗グループと第２の抵抗グループを有する。第１の抵抗グループにおける第１抵抗ユニットへの電力供給制御を行う、第１の抵抗グループにおけるリレー部のスイッチング装置の数は、第２の抵抗グループにおける第１抵抗ユニットへの電力供給制御を行う、第２の抵抗グループにおけるリレー部のスイッチング装置よりも多い。
【００１８】
負荷抵抗値の切り替え幅が小さい負荷試験を行う際には、主に第１の抵抗グループを用い、負荷抵抗値の切り替え幅が大きい負荷試験を行う際には、主に第２の抵抗グループを用い、負荷抵抗値が大きい負荷試験を行う際には、第１の抵抗グループと第２の抵抗グループの両方を用いることが出来る。
【００１９】
また、好ましくは、第１抵抗ユニットを含む抵抗ユニットと、第１冷却部を含む冷却部を有する抵抗グループが、複数組設けられる。複数組の抵抗グループのうち少なくとも１つは、リレー部を介して制御部と接続され、複数組の抵抗グループのうち残りは、リレー部を介さずに、制御部若しくは複数組の抵抗グループのうち残りの抵抗ユニットに設けられたＶＣＳを介して制御部と接続される。
【００２０】
また、好ましくは、第１抵抗ユニットの排気口には、排気口用フードが設けられる。排気口用フードには、閉じた状態になるように付勢され、第１冷却部からの冷却風によって開いた状態にされる。
【００２１】
電気エネルギーを用いずに、自動的に排気口用フードの開閉を行うことが可能になる。
【００２２】
また、好ましくは、第１抵抗ユニットの排気口には、排気口用フードが設けられる。第１冷却部の吸気口には、吸気口用フードが設けられる。負荷試験装置は、第１抵抗ユニットと、冷却部と、制御部と、リレー部を覆う筐体の上部を覆う屋根部と、筐体の下部に設けられた土台部とを更に備える。屋根部は、寄棟造である。
【００２３】
負荷試験装置が屋外に設置された場合に、筐体の上部に雨や雪が直接当たるのを防ぐことが出来る。また、屋根部に雪が積もった場合でも、傾斜面を使って容易に下方に落とすことが出来る。
【００２４】
また、好ましくは、第１抵抗ユニットの排気口には、上方向若しくは斜め上方向に開口する排気口用フードが設けられる。第１冷却部の吸気口には、上方向若しくは斜め上方向に開口する吸気口用フードが設けられる。負荷試験装置は、第１抵抗ユニットと、冷却部と、制御部と、リレー部を覆う筐体と、排気口用フードと、吸気口用フードの上部を覆う屋根部とを更に備える。
【００２５】
屋根部により、第２排気口用フードの開口や第２吸気口用フードの開口に雨や雪が浸入しにくく出来る。
負荷試験装置が屋外に設置され、負荷試験装置の周囲に雪が積もった場合でも、負荷試験装置を構成する電気部品に雪や雪が解けた水が触れる可能性を低く出来る。
【００２６】
また、好ましくは、負荷試験装置は、複数の第２抵抗器と、複数の第２抵抗器を保持する第２保持部を有する第２抵抗ユニットを更に備える。第１保持部は、第１碍子を介して、第１抵抗ユニットを保持する筐体に上に配置される。第２保持部は、第２碍子を介して、第１保持部の上に配置される。第１碍子は、第１保持部から水平方向に突出する第１突出領域の下部と、筐体の間に取り付けられる。第２碍子は、第１突出領域の上部と、第２保持部から水平方向に突出する第２突出領域の下部との間に取り付けられる。
【００２７】
上突起部に相当する部分と下突起部に相当する部分が、突出領域として、一体的に形成されるため、上突起部と下突起部とが別体で構成される形態に比べて、碍子を取り付ける部分の強度を高めることが出来る。
【００２８】
さらに好ましくは、負荷試験装置は、複数の第３抵抗器と、複数の第３抵抗器を保持する第３保持部を有する第３抵抗ユニットを更に備える。第３保持部は、第３碍子を介して、第２保持部の上に配置される。第１抵抗ユニットの下面と側面と、第２抵抗ユニットの側面と、第３抵抗ユニットの上面と側面は、筐体に覆われる。第３碍子は、第２突出領域の上部と、第３保持部から水平方向に突出する第３突出領域の下部との間に取り付けられる。
【００２９】
また、好ましくは、第１突出領域は、水平方向から見て矩形形状の枠で構成される。第２突出領域は、水平方向から見て矩形形状の枠で構成される。
【００３０】
突出領域が枠形状で構成される場合には、更に強度を高めることが出来る。
【発明の効果】
【００３１】
以上のように本発明によれば、組立や配線が容易に行える負荷試験装置を提供することができる。
【図面の簡単な説明】
【００３２】
【図１】本実施形態における負荷試験装置の斜視図である。
【図２】冷却部と抵抗ユニットを含む領域の斜視図である。
【図３】冷却部と抵抗ユニットを含む領域の分解斜視図である。
【図４】冷却部と第１筐体と第１抵抗ユニットと第２抵抗ユニットと第３抵抗ユニットを含む領域の分解斜視図である。
【図５】負荷試験装置の構成を示す模式図である。
【図６】負荷試験装置であって、抵抗器群やスイッチング装置の配線を示す図である。
【図７】第１排気口用フードと第１吸気口用フードが設けられた負荷試験装置の斜視図である。
【図８】屋根部と土台部と第１排気口用フードと第１吸気口用フードが設けられた負荷試験装置の斜視図である。
【図９】拡散部を含む冷却部と、第１筐体と、突起部を含む第１抵抗ユニットと第２抵抗ユニットと第３抵抗ユニットと、碍子を含む領域の分解斜視図である。
【図１０】拡散部を含む冷却部と、突起部を含む抵抗ユニットを含む領域の分解斜視図である。
【図１１】開閉扉で構成された拡散部を含む冷却部と、突起部を含む抵抗ユニットを含む領域の分解斜視図である。
【図１２】第２排気口用フードと第２吸気口用フードが設けられた負荷試験装置の斜視図である。
【図１３】屋根部と第２排気口用フードと第２吸気口用フードが設けられた負荷試験装置の斜視図である。
【図１４】第１の抵抗グループと、リレー部を含む第２の抵抗グループを含む負荷試験装置の斜視図である。
【図１５】第１の抵抗グループと、リレー部を含まない第２の抵抗グループを含む負荷試験装置の斜視図である。
【図１６】第１の抵抗グループと、リレー部を含まない第２の抵抗グループを含む負荷試験装置の模式図で、第１の抵抗グループがある部分を詳細に示したものである。
【図１７】第１の抵抗グループと、リレー部を含まない第２の抵抗グループを含む負荷試験装置の模式図で、第２の抵抗グループがある部分を詳細に示したものである。
【図１８】狭窄部を含む冷却部と、突起部を含む抵抗ユニットを含む領域の分解斜視図である。
【図１９】拡散部が設けられた狭窄部を含む冷却部と、突起部を含む抵抗ユニットを含む領域の分解斜視図である。
【図２０】拡散部を含む冷却部と、棒状の突出領域を含む抵抗ユニットを含む領域の分解斜視図である。
【図２１】拡散部を含む冷却部と、枠形状の突出領域を含む抵抗ユニットを含む領域の分解斜視図である。
【発明を実施するための形態】
【００３３】
以下、本実施形態について、図を用いて説明する。
なお、実施形態は、以下の実施形態に限られるものではない。また、一つの実施形態に記載した内容は、原則として他の実施形態にも同様に適用される。また、各実施形態及び各変形例は、適宜組み合わせることが出来る。
本実施形態における乾式の負荷試験装置１は、抵抗ユニット３０、冷却部５０、制御部７０、リレー部９０を備える（図１〜図６参照）。
【００３４】
抵抗ユニット３０は、第１筐体２ａ、第１抵抗ユニット３０ａ、第２抵抗ユニット３０ｂ、第３抵抗ユニット３０ｃを有する。
第１筐体２ａは、第１抵抗ユニット３０ａ、第２抵抗ユニット３０ｂ、第３抵抗ユニット３０ｃを覆う。
冷却部５０は、第２筐体２ｂ、第１冷却部５０ａ、第２冷却部５０ｂ、第３冷却部５０ｃを有する。
第２筐体２ｂは、第１冷却部５０ａ、第２冷却部５０ｂ、第３冷却部５０ｃを覆う。
【００３５】
なお、第１抵抗ユニット３０ａと第１冷却部５０ａを第１負荷試験部１ａとし、第２抵抗ユニット３０ｂと第１冷却部５０ｂを第２負荷試験部１ｂとし、第３抵抗ユニット３０ｃと第３冷却部５０ｃを第３負荷試験部１ｃとして説明する。
【００３６】
方向を説明するために、水平方向の一方をｘ方向（左右方向、第１方向）、ｘ方向に垂直な方向をｙ方向（鉛直方向、第２方向）、ｘ方向とｙ方向に垂直な水平方向をｚ方向（前後方向、第３方向）として説明する。
制御部７０、リレー部９０、負荷試験部は、ｘ方向に並べられる。
第１負荷試験部１ａ、第２負荷試験部１ｂ、第３負荷試験部１ｃは、ｙ方向に並べられる。
負荷試験部における冷却部５０と抵抗ユニット３０は、ｚ方向に並べられる。
かかる配置により、狭いスペース内に効率良く負荷試験装置１の部材を並べることが可能になり、各部の組立、制御部７０から抵抗ユニット３０への配線、制御部７０から冷却部５０への配線が容易に行える。
【００３７】
図１、図７、図１２、図１４、図１５では、外部から見えない箇所の図示を省略している。
また、制御部７０とリレー部９０との境界を示すために、第３筐体２ｃと第４筐体２ｄとの間に実線が示されているが、第３筐体２ｃと第４筐体２ｄとは、一体で構成されてもよい。
図２では、抵抗器の図示を省略し、第１抵抗ユニット３０ａ〜第３抵抗ユニット３０ｃ、及び第１冷却装置５３ａ〜第６冷却装置５３ｆの輪郭部分であって外部から見えないものを点線で示している。
図３では、リレー部９０側の端子（第１保持部３１ａ〜第３保持部３１ｃからｘ方向に突出した領域）を除き、抵抗器における外部から見えない部分の図示を省略し、第１抵抗ユニット３０ａ〜第３抵抗ユニット３０ｃ、及び第１冷却装置５３ａ〜第６冷却装置５３ｆの輪郭部分であって外部から見えないものを点線で示している。
図４と図９では、第１抵抗ユニット３０ａと第２抵抗ユニット３０ｂについては、抵抗器における外部から見えない部分の図示を省略し、第３抵抗ユニット３０ｃについては、抵抗器における外部から見えない部分を点線で示している。
また、図４と図９では、第１冷却装置５３ａ〜第６冷却装置５３ｆの輪郭部分であって外部から見えないものを点線で示している。
【００３８】
また、図３と図４と図９は、冷却部５０と抵抗ユニット３０の位置関係を示すために、第１抵抗ユニット３０ａと第２抵抗ユニット３０ｂと第３抵抗ユニット３０ｃの筐体（第１筐体２ａ）と、第１冷却部５０ａと第２冷却部５０ｂと第３冷却部５０ｃの筐体（第２筐体２ｂ）とが離れた状態を示すが、組立後は、図１と図２に示すように、第１筐体２ａと第２筐体２ｂとが固定される。
また、第１筐体２ａと第２筐体２ｂとが一体的に構成される形態であってもよい。
図８と図１３では、屋根部２ｅによって隠される第１筐体２ａなどの輪郭部分を点線で示し、それ以外の外部から見えない箇所の図示を省略している。
また、図１０と図１１と図１８と図２０と図２１では、内部構造が見えるように第１筐体２ａの手前側の側面部を省略し、リレー部９０側の端子（第１保持部３１ａ〜第３保持部３１ｃからｘ方向に突出した領域）を除き、抵抗器における外部から見えない部分の図示を省略し、第１抵抗ユニット３０ａ〜第３抵抗ユニット３０ｃ、及び第１冷却装置５３ａ〜第６冷却装置５３ｆの輪郭部分であって外部から見えないものを点線で示している。
また、図１９では、内部構造が見えるように第１筐体２ａの手前側の側面部を省略し、リレー部９０側の端子（第１保持部３１ａ〜第３保持部３１ｃからｘ方向に突出した領域）を除き、抵抗器における外部から見えない部分の図示を省略し、第１抵抗ユニット３０ａ〜第３抵抗ユニット３０ｃを点線で示し、第１冷却装置５３ａ〜第６冷却装置５３ｆは輪郭部分であって外部から見えるものだけを実線で示している。
【００３９】
第１負荷試験部１ａの構成について説明する。
第１負荷試験部１ａは、試験対象電源（三相交流発電機）の３相のうちの１つ（本実施形態では、Ｔ相）の負荷試験を行うために使用されるもので、第１抵抗ユニット３０ａ、第１冷却部５０ａ（第１冷却装置５３ａ、第２冷却装置５３ｂ）を有する。
【００４０】
第１抵抗ユニット３０ａの吸気口（第１保持部３１ａの第１開口３１ａ１）と、第１冷却部５０ａ（第１冷却装置５３ａ、第２冷却装置５３ｂ）の排気口とが対向するように、第１冷却部５０ａと第１抵抗ユニット３０ａとがｚ方向に並べられる。
【００４１】
第２負荷試験部１ｂの構成について説明する。
第２負荷試験部１ｂは、試験対象電源（三相交流発電機）の３相のうちの１つ（本実施形態では、Ｓ相）の負荷試験を行うために使用されるもので、第１負荷試験部１ａの上に載置され、第２抵抗ユニット３０ｂ、第２冷却部５０ｂ（第３冷却装置５３ｃ、第４冷却装置５３ｄ）を有する。
【００４２】
第２抵抗ユニット３０ｂの吸気口（第２保持部３１ｂの第２開口３１ｂ１）と、第２冷却部５０ｂ（第３冷却装置５３ｃ、第４冷却装置５３ｄ）の排気口とが対向するように、第２冷却部５０ｂと第２抵抗ユニット３０ｂとがｚ方向に並べられる。
【００４３】
第３負荷試験部１ｃの構成について説明する。
第３負荷試験部１ｃは、試験対象電源（三相交流発電機）の３相のうちの１つ（本実施形態では、Ｒ相）の負荷試験を行うために使用されるもので、第２負荷試験部１ｂの上に載置され、第３抵抗ユニット３０ｃ、第３冷却部５０ｃ（第５冷却装置５３ｅ、第６冷却装置５３ｆ）を有する。
【００４４】
第３抵抗ユニット３０ｃの吸気口（第３保持部３１ｃの第３開口３１ｃ１）と、第３冷却部５０ｃ（第５冷却装置５３ｅ、第６冷却装置５３ｆ）の排気口とが対向するように、第３冷却部５０ｃと第３抵抗ユニット３０ｃとがｚ方向に並べられる。
【００４５】
第１抵抗ユニット３０ａの抵抗器群（第１Ｗ相抵抗器群ＲＷ１〜第３Ｗ相抵抗器群ＲＷ３）、第２抵抗ユニット３０ｂの抵抗器群（第１Ｖ相抵抗器群ＲＶ１〜第３Ｖ相抵抗器群ＲＶ３）、第３抵抗ユニット３０ｃの抵抗器群（第１Ｕ相抵抗器群ＲＵ１〜第３Ｕ相抵抗器群ＲＵ３）に関する電気的な接続は、制御部７０の電源端子部７３からのケーブルや接続バーなどの接続部材３を使って行われる（図５、図６参照）。
【００４６】
第１抵抗ユニット３０ａのスイッチング装置（第１Ｗ相スイッチング装置ＳＷ１〜第３Ｗ相スイッチング装置ＳＷ３）、第２抵抗ユニット３０ｂのスイッチング装置（第１Ｖ相スイッチング装置ＳＶ１〜第３Ｖ相スイッチング装置ＳＶ３）、第３抵抗ユニット３０ｃのスイッチング装置（第１Ｕ相スイッチング装置ＳＵ１〜第３Ｕ相スイッチング装置ＳＵ３）の制御は、制御部７０の制御端子部７５からのケーブル（制御線４）を使って行われる。
【００４７】
制御線４は、制御部７０からリレー部９０に設けられたスイッチング装置（ＳＵ１〜ＳＵ３、ＳＶ１〜ＳＶ３、ＳＷ１〜ＳＷ３）のオンオフ制御を行うために使用されるケーブルである（図１〜図４、図７〜図１５の斜視図では図示を省略）。
【００４８】
第１抵抗ユニット３０ａの構成について説明する。
第１抵抗ユニット３０ａは、複数の抵抗器（第１抵抗器）と、複数の第１抵抗器を保持する第１保持部３１ａと、第１碍子３３ａを有する。
【００４９】
第１抵抗ユニット３０ａの抵抗器は、前面と背面が開口する枠体で構成された第１保持部３１ａの側面で保持される。
第１保持部３１ａの前面開口は排気口として機能し、背面開口（第１開口３１ａ１、第１冷却部５０ａと対向する面）は吸気口として機能する。
第１保持部３１ａの下面の四隅には碍子（第１碍子３３ａ）が設けられる。
第１保持部３１ａは、第１碍子３３ａを介して、第１筐体２１の底面の上に載置される。
【００５０】
第１抵抗ユニット３０ａに含まれる複数の抵抗器（第１抵抗器）は、ｘ方向に平行な棒状の抵抗器がｚ方向に所定の間隔を空けて複数本並べられた抵抗器列が、ｙ方向に１段以上並べられたもので、制御部７０の電源端子部７３を介して接続された三相交流発電機などの試験対象電源のＴ相の負荷試験を行うために用いられる。
【００５１】
第１抵抗ユニット３０ａに含まれる複数の抵抗器（第１抵抗器）のうち、直列又は並列に接続された１以上の抵抗器が抵抗器群を形成し、抵抗器群と他の抵抗器群は並列に接続され、抵抗器群ごとに電力供給のオンオフ制御を行うスイッチング装置が設けられる。
試験対象電源のＴ相からの電圧印加を行う抵抗器群の数を変えながら、負荷試験が行われる。
【００５２】
本実施形態では、第１抵抗ユニット３０ａは、ｘ方向に平行な棒状の抵抗器がｚ方向に所定の間隔を空けて８本並べられた抵抗器列が、ｙ方向に６段並べられる。
また、上２段の１６本の抵抗器を含む抵抗器群が第１Ｗ相抵抗器群ＲＷ１を構成し、中２段の１６本の抵抗器を含む抵抗器群が第２Ｗ相抵抗器群ＲＷ２を構成し、下２段の１６本の抵抗器を含む抵抗器群が第３Ｗ相抵抗器群ＲＷ３を構成する。
【００５３】
また、第１Ｗ相抵抗器群ＲＷ１への電力供給のオンオフ制御を行うスイッチング装置として、第１Ｗ相スイッチング装置ＳＷ１が設けられ、第２Ｗ相抵抗器群ＲＷ２への電力供給のオンオフ制御を行うスイッチング装置として、第２Ｗ相スイッチング装置ＳＷ２が設けられ、第３Ｗ相抵抗器群ＲＷ３への電力供給のオンオフ制御を行うスイッチング装置として、第３Ｗ相スイッチング装置ＳＷ３が設けられる。
【００５４】
第１Ｗ相スイッチング装置ＳＷ１〜第３Ｗ相スイッチング装置ＳＷ３は、リレー部９０に収納され、制御線４を介して、制御部７０の制御端子部７５に接続され、制御部７０の操作部７１のオンオフ操作に対応して、オンオフ制御が行われる。
【００５５】
第２抵抗ユニット３０ｂの構成について説明する。
第２抵抗ユニット３０ｂは、複数の抵抗器（第２抵抗器）と、複数の第２抵抗器を保持する第２保持部３１ｂと、第２碍子３３ｂを有する。
【００５６】
第２抵抗ユニット３０ｂの抵抗器は、前面と背面が開口する枠体で構成された第２保持部３１ｂの側面で保持される。
第２保持部３１ｂの前面開口は排気口として機能し、背面開口（第２開口３１ｂ１、第２冷却部５０ｂと対向する面）は吸気口として機能する。
第２保持部３１ｂの下面の四隅には碍子（第２碍子３３ｂ）が設けられる。
第２保持部３１ｂは、第２碍子３３ｂを介して、第１抵抗ユニット３０ａの第１保持部３１ａの上面の上に載置される。
【００５７】
第２抵抗ユニット３０ｂに含まれる複数の抵抗器（第２抵抗器）は、ｘ方向に平行な棒状の抵抗器がｚ方向に所定の間隔を空けて複数本並べられた抵抗器列が、ｙ方向に１段以上並べられたもので、制御部７０の電源端子部７３を介して接続された三相交流発電機などの試験対象電源のＳ相の負荷試験を行うために用いられる。
【００５８】
第２抵抗ユニット３０ｂに含まれる複数の抵抗器（第２抵抗器）のうち、直列又は並列に接続された１以上の抵抗器が抵抗器群を形成し、抵抗器群と他の抵抗器群は並列に接続され、抵抗器群ごとに電力供給のオンオフ制御を行うスイッチング装置が設けられる。
試験対象電源のＳ相からの電圧印加を行う抵抗器群の数を変えながら、負荷試験が行われる。
【００５９】
本実施形態では、第２抵抗ユニット３０ｂは、ｘ方向に平行な棒状の抵抗器がｚ方向に所定の間隔を空けて８本並べられた抵抗器列が、ｙ方向に６段並べられる。
また、上２段の１６本の抵抗器を含む抵抗器群が第１Ｖ相抵抗器群ＲＶ１を構成し、中２段の１６本の抵抗器を含む抵抗器群が第２Ｖ相抵抗器群ＲＶ２を構成し、下２段の１６本の抵抗器を含む抵抗器群が第３Ｖ相抵抗器群ＲＶ３を構成する。
【００６０】
また、第１Ｖ相抵抗器群ＲＶ１への電力供給のオンオフ制御を行うスイッチング装置として、第１Ｖ相スイッチング装置ＳＶ１が設けられ、第２Ｖ相抵抗器群ＲＶ２への電力供給のオンオフ制御を行うスイッチング装置として、第２Ｖ相スイッチング装置ＳＶ２が設けられ、第３Ｖ相抵抗器群ＲＶ３への電力供給のオンオフ制御を行うスイッチング装置として、第３Ｖ相スイッチング装置ＳＶ３が設けられる。
【００６１】
第１Ｖ相スイッチング装置ＳＶ１〜第３Ｖ相スイッチング装置ＳＶ３は、リレー部９０に収納され、制御線４を介して、制御部７０の制御端子部７５に接続され、制御部７０の操作部７１のオンオフ操作に対応して、オンオフ制御が行われる。
【００６２】
第３抵抗ユニット３０ｃの構成について説明する。
第３抵抗ユニット３０ｃは、複数の抵抗器（第３抵抗器）と、複数の第３抵抗器を保持する第３保持部３１ｃと、第３碍子３３ｃを有する。
【００６３】
第３抵抗ユニット３０ｃの抵抗器は、前面と背面が開口する枠体で構成された第３保持部３１ｃの側面で保持される。
第３保持部３１ｃの前面開口は排気口として機能し、背面開口（第３開口３１ｃ１、第３冷却部５０ｃと対向する面）は吸気口として機能する。
第３保持部３１ｃの下面の四隅には碍子（第３碍子３３ｃ）が設けられる。
第３保持部３１ｃは、第３碍子３３ｃを介して、第２抵抗ユニット３０ｂの第２保持部３１ｂの上面の上に載置される。
【００６４】
なお、本実施形態では、第１碍子３３ａ〜第３碍子３３ｃを直方体形状で示すが、碍子の形状は直方体形状に限定されるものではなく、略円柱形状など他の形状であってもよい。
【００６５】
第３抵抗ユニット３０ｃに含まれる複数の抵抗器（第３抵抗器）は、ｘ方向に平行な棒状の抵抗器がｚ方向に所定の間隔を空けて複数本並べられた抵抗器列が、ｙ方向に１段以上並べられたもので、制御部７０の電源端子部７３を介して接続された三相交流発電機などの試験対象電源のＲ相の負荷試験を行うために用いられる。
【００６６】
第３抵抗ユニット３０ｃに含まれる複数の抵抗器（第３抵抗器）のうち、直列又は並列に接続された１以上の抵抗器が抵抗器群を形成し、抵抗器群と他の抵抗器群は並列に接続され、抵抗器群ごとに電力供給のオンオフ制御を行うスイッチング装置が設けられる。
試験対象電源のＲ相からの電圧印加を行う抵抗器群の数を変えながら、負荷試験が行われる。
【００６７】
本実施形態では、第３抵抗ユニット３０ｃは、ｘ方向に平行な棒状の抵抗器がｚ方向に所定の間隔を空けて８本並べられた抵抗器列が、ｙ方向に６段並べられる。
また、上２段の１６本の抵抗器を含む抵抗器群が第１Ｕ相抵抗器群ＲＵ１を構成し、中２段の１６本の抵抗器を含む抵抗器群が第２Ｕ相抵抗器群ＲＵ２を構成し、下２段の１６本の抵抗器を含む抵抗器群が第３Ｕ相抵抗器群ＲＵ３を構成する。
【００６８】
また、第１Ｕ相抵抗器群ＲＵ１への電力供給のオンオフ制御を行うスイッチング装置として、第１Ｕ相スイッチング装置ＳＵ１が設けられ、第２Ｕ相抵抗器群ＲＵ２への電力供給のオンオフ制御を行うスイッチング装置として、第２Ｕ相スイッチング装置ＳＵ２が設けられ、第３Ｕ相抵抗器群ＲＵ３への電力供給のオンオフ制御を行うスイッチング装置として、第３Ｕ相スイッチング装置ＳＵ３が設けられる。
【００６９】
第１Ｕ相スイッチング装置ＳＵ１〜第３Ｕ相スイッチング装置ＳＵ３は、リレー部９０に収納され、制御線４を介して、制御部７０の制御端子部７５に接続され、制御部７０の操作部７１のオンオフ操作に対応して、オンオフ制御が行われる。
【００７０】
中性点接続のために、第１Ｕ相抵抗器群ＲＵ１と、第１Ｖ相抵抗器群ＲＶ１と、第１Ｗ相抵抗器群ＲＷ１と、第２Ｕ相抵抗器群ＲＵ２と、第２Ｖ相抵抗器群ＲＶ２と、第２Ｗ相抵抗器群ＲＷ２と、第３Ｕ相抵抗器群ＲＵ３と、第３Ｖ相抵抗器群ＲＶ３と、第３Ｗ相抵抗器群ＲＷ３とは短絡される。
【００７１】
本実施形態では、例として、第１抵抗ユニット３０ａ〜第３抵抗ユニット３０ｃのそれぞれが、３つの抵抗器群（ＲＷ１〜ＲＷ３、ＲＶ１〜ＲＶ３、ＲＵ１〜ＲＵ３）と、各抵抗器群への電力供給のオンオフ制御を行うスイッチング装置（ＳＷ１〜ＳＷ３、ＳＶ１〜ＳＶ３、ＳＵ１〜ＳＵ３）を有する形態を説明するが、抵抗器群やスイッチング装置の数は３つに限られるものではない。
【００７２】
また、第１抵抗ユニット３０ａ〜第３抵抗ユニット３０ｃにおける抵抗器列は、ｘ方向に平行な棒状の抵抗器が、ｙ方向に所定の間隔を空けて複数本並べられる形態を説明したが、ｙ方向に平行な棒状の抵抗器が、ｘ方向に所定の間隔を空けて複数本並べられる形態であってもよい。
【００７３】
第１冷却部５０ａの構成について説明する。
第１冷却部５０ａは、第１冷却装置５３ａと第２冷却装置５３ｂを有する。
【００７４】
第１冷却部５０ａの前面（第１抵抗ユニット３０ａの第１保持部３１ａの第１開口３１ａ１と対向する面）は排気口として、背面は吸気口として開口する。
【００７５】
第１冷却装置５３ａと第２冷却装置５３ｂは、冷却ファンなど、水平方向（ｚ方向）に風（図２の破線矢印参照）を排出するもので、吸気口から導入された空気を、排気口を介して、第１抵抗ユニット３０ａに送り込む。
【００７６】
第１冷却装置５３ａと第２冷却装置５３ｂは、ｘ方向に並べて配置される。
第１冷却装置５３ａは、第１抵抗ユニット３０ａの抵抗器におけるリレー部９０に近い側の領域を冷却する。
第２冷却装置５３ｂは、第１抵抗ユニット３０ａの抵抗器におけるリレー部９０から離れた側の領域を冷却する。
【００７７】
第１冷却部５０ａの複数の冷却装置からの冷却風が、第１抵抗ユニット３０ａの第１保持部３１ａの第１開口３１ａ１のほぼ全域に当たるように、第１冷却部５０ａの２以上の冷却装置（第１冷却装置５３ａ、第２冷却装置５３ｂ）のそれぞれにおける、冷却風を排出する領域のｘ方向の幅（当該領域の直径）ｗ１が、第１抵抗ユニット３０ａの抵抗器における第１保持部３１ａに覆われる領域のｘ方向の幅ｗ２の２／３よりも短くなるように、各部材の寸法が決定されるのが望ましい（図４参照、ｗ１＜ｗ２×２／３）。
【００７８】
第２冷却部５０ｂの構成について説明する。
第２冷却部５０ｂは、第３冷却装置５３ｃと第４冷却装置５３ｄを有する。
【００７９】
第２冷却部５０ｂの前面（第２抵抗ユニット３０ｂの第２保持部３１ｂの第２開口３１ｂ１と対向する面）は排気口として、背面は吸気口として開口する。
【００８０】
第３冷却装置５３ｃと第４冷却装置５３ｄは、冷却ファンなど、水平方向（ｚ方向）に風（図２の破線矢印参照）を排出するもので、吸気口から導入された空気を、排気口を介して、第２抵抗ユニット３０ｂに送り込む。
【００８１】
第３冷却装置５３ｃと第４冷却装置５３ｄは、ｘ方向に並べて配置される。
第３冷却装置５３ｃは、第２抵抗ユニット３０ｂの抵抗器におけるリレー部９０に近い側の領域を冷却する。
第４冷却装置５３ｄは、第２抵抗ユニット３０ｂの抵抗器におけるリレー部９０から離れた側の領域を冷却する。
【００８２】
第２冷却部５０ｂの複数の冷却装置からの冷却風が、第２抵抗ユニット３０ｂの第２保持部３１ｂの第２開口３１ｂ１のほぼ全域に当たるように、第２冷却部５０ｂの２以上の冷却装置（第３冷却装置５３ｃ、第４冷却装置５３ｄ）のそれぞれにおける、冷却風を排出する領域のｘ方向の幅（当該領域の直径）ｗ１が、第２抵抗ユニット３０ｂの抵抗器における第２保持部３１ｂに覆われる領域のｘ方向の幅ｗ２の２／３よりも短くなるように、各部材の寸法が決定されるのが望ましい（ｗ１＜ｗ２×２／３）。
【００８３】
第２冷却部５０ｂは、第１冷却部５０ａの上に設けられる。
【００８４】
第３冷却部５０ｃの構成について説明する。
第３冷却部５０ｃは、第５冷却装置５３ｅと第６冷却装置５３ｆを有する。
【００８５】
第３冷却部５０ｃの前面（第３抵抗ユニット３０ｃの第３保持部３１ｃの第３開口３１ｃ１と対向する面）は排気口として、背面は吸気口として開口する。
【００８６】
第５冷却装置５３ｅと第６冷却装置５３ｆは、冷却ファンなど、水平方向（ｚ方向）に風（図２の破線矢印参照）を排出するもので、吸気口から導入された空気を、排気口を介して、第３抵抗ユニット３０ｃに送り込む。
【００８７】
第５冷却装置５３ｅと第６冷却装置５３ｆは、ｘ方向に並べて配置される。
第５冷却装置５３ｅは、第３抵抗ユニット３０ｃの抵抗器におけるリレー部９０に近い側の領域を冷却する。
第６冷却装置５３ｆは、第３抵抗ユニット３０ｃの抵抗器におけるリレー部９０から離れた側の領域を冷却する。
【００８８】
第３冷却部５０ｃの複数の冷却装置からの冷却風が、第３抵抗ユニット３０ｃの第３保持部３１ｃの第３開口３１ｃ１のほぼ全域に当たるように、第３冷却部５０ｃの２以上の冷却装置（第５冷却装置５３ｅ、第６冷却装置５３ｆ）のそれぞれにおける、冷却風を排出する領域のｘ方向の幅（当該領域の直径）ｗ１が、第３抵抗ユニット３０ｃの抵抗器における第３保持部３１ｃに覆われる領域のｘ方向の幅ｗ２の２／３よりも短くなるように、各部材の寸法が決定されるのが望ましい（ｗ１＜ｗ２×２／３）。
【００８９】
第３冷却部５０ｃは、第２冷却部５０ｂの上に設けられる。
【００９０】
第１冷却装置５３ａ〜第６冷却装置５３ｆは、第１冷却装置５３ａ〜第６冷却装置５３ｆを覆う筐体（第２筐体２ｂ）に取り付けられる形態であってもよいし、第１筐体２ａに取り付けられる形態であってもよい。
【００９１】
制御部７０の構成について説明する。
制御部７０は、第３筐体２ｃ、操作部７１、電源端子部７３、制御端子部７５、電力供給制御部７７を有する。
操作部７１、電源端子部７３、制御端子部７５、電力供給制御部７７は、第３筐体２ｃ（制御部７０の筐体）に収納される。
第３筐体２ｃは、操作部７１、電源端子部７３、制御端子部７５、電力供給制御部７７を覆う。
【００９２】
第１抵抗ユニット３０ａ〜第３抵抗ユニット３０ｃのスイッチング装置（ＳＷ１〜ＳＷ３、ＳＶ１〜ＳＶ３、ＳＵ１〜ＳＵ３）や、第１冷却装置５３ａ〜第５冷却装置５３ｅや、電力供給制御部７７は、試験対象電源とは別の電源（負荷試験装置駆動用電源）で駆動される（図５参照）。
操作部７１の操作、操作部７１と負荷試験装置駆動用電源とのケーブル接続、電源端子部７３と試験対象電源とのケーブル接続は、第３筐体２ｃに設けられた扉を空けた状態で行われる。
【００９３】
操作部７１は、モードスイッチＭＳ、ファンスイッチＦＳ、第１操作スイッチＳ１〜第３操作スイッチＳ３を有する（不図示）。
【００９４】
モードスイッチＭＳは、回転式、若しくはスライド式（若しくはトグル式若しくは押しボタン式）の操作スイッチで、負荷試験装置１のオンオフを選択するために使用されるが、さらに試験対象の電源の種類などを選択する（モード切替する）ためにも使用される形態であってもよい。
【００９５】
負荷試験を行う場合には、モードスイッチＭＳをオンの操作位置に合わせる。負荷試験装置１をオフにする場合は、モードスイッチＭＳをオフの操作位置に合わせる。
【００９６】
ファンスイッチＦＳは、スライド式（若しくはトグル式若しくは押しボタン式）の操作スイッチで、モードスイッチＭＳがオン状態で、第１冷却装置５３ａ〜第６冷却装置５３ｆのオンオフ制御を行うためのスイッチである。ファンスイッチＦＳを省略し、モードスイッチＭＳをオンの操作位置に合わせた時に、第１冷却装置５３ａ〜第６冷却装置５３ｆが動作する形態であってもよい。
【００９７】
第１操作スイッチＳ１〜第３操作スイッチＳ３は、スライド式（若しくはトグル式若しくは押しボタン式）の操作スイッチで、第１抵抗ユニット３０ａの抵抗器群（第１Ｗ相抵抗器群ＲＷ１〜第３Ｗ相抵抗器群ＲＷ３）のスイッチング装置（第１Ｗ相スイッチング装置ＳＷ１〜第３Ｗ相スイッチング装置ＳＷ３）、第２抵抗ユニット３０ｂの抵抗器群（第１Ｖ相抵抗器群ＲＶ１〜第３Ｖ相抵抗器群ＲＶ３）のスイッチング装置（第１Ｖ相スイッチング装置ＳＶ１〜第３Ｖ相スイッチング装置ＳＶ３）、第３抵抗ユニット３０ｃの抵抗器群（第１Ｕ相抵抗器群ＲＵ１〜第３Ｕ相抵抗器群ＲＵ３）のスイッチング装置（第１Ｕ相スイッチング装置ＳＵ１〜第３Ｕ相スイッチング装置ＳＵ３）のオンオフ制御を行うためのスイッチである。
【００９８】
モードスイッチＭＳがオン状態で、第１操作スイッチＳ１をオン状態にすると、第１Ｗ相スイッチング装置ＳＷ１、第１Ｖ相スイッチング装置ＳＶ１、第１Ｕ相スイッチング装置ＳＵ１がオン状態（導通状態）にされて、第１Ｗ相抵抗器群ＲＷ１に、Ｗ相端子ＷＴを介して負荷試験装置１に接続された試験対象電源のＴ相からの電流が流れうる状態にされ、第１Ｖ相抵抗器群ＲＶ１に、Ｖ相端子ＶＴを介して負荷試験装置１に接続された試験対象電源のＳ相からの電流が流れうる状態にされ、第１Ｕ相抵抗器群ＲＵ１に、Ｕ相端子ＵＴを介して負荷試験装置１に接続された試験対象電源のＲ相からの電流が流れうる状態にされる。
【００９９】
第２操作スイッチＳ２〜第３操作スイッチＳ３も、同様で、モードスイッチＭＳがオン状態で、オン状態にすると、対応する抵抗器群のスイッチング装置がオン状態（導通状態）にされて、当該抵抗器群に、Ｗ相端子ＷＴとＶ相端子ＶＴとＵ相端子ＵＴを介して負荷試験装置１に接続された試験対象電源からの電流が流れうる状態にされる。
【０１００】
モードスイッチＭＳをオンの操作位置に合わせ、ファンスイッチＦＳをオンの操作位置に合わせた場合に、第１冷却装置５３ａ〜第６冷却装置５３ｆは駆動され、第１操作スイッチＳ１〜第３操作スイッチＳ３の操作状態に基づき第１抵抗ユニット３０ａ〜第３抵抗ユニット３０ｃの抵抗器群それぞれのスイッチング装置のオンオフ制御が行われる。
【０１０１】
電源端子部７３は、試験対象の電源を接続するための端子で、三相交流発電機と接続するために使用されるＵ相端子ＵＴ、Ｖ相端子ＶＴ、Ｗ相端子ＷＴを有する。
【０１０２】
三相交流発電機の負荷試験の場合に、三相交流発電機のＲ相、Ｓ相、Ｔ相からのケーブルが、それぞれＵ相端子ＵＴ、Ｖ相端子ＶＴ、Ｗ相端子ＷＴに接続される。
【０１０３】
制御端子部７５は、リレー部９０のスイッチング装置（第１Ｗ相スイッチング装置ＳＷ１〜第３Ｗ相スイッチング装置ＳＷ３、第１Ｖ相スイッチング装置ＳＶ１〜第３Ｖ相スイッチング装置ＳＶ３、第１Ｕ相スイッチング装置ＳＵ１〜第３Ｕ相スイッチング装置ＳＵ３）との制御線４を接続させる端子を有する。
【０１０４】
制御端子部７５が、制御線４を介して、リレー部９０のスイッチング装置（第１Ｗ相スイッチング装置ＳＷ１〜第３Ｗ相スイッチング装置ＳＷ３、第１Ｖ相スイッチング装置ＳＶ１〜第３Ｖ相スイッチング装置ＳＶ３、第１Ｕ相スイッチング装置ＳＵ１〜第３Ｕ相スイッチング装置ＳＵ３）と接続された場合に、第１操作スイッチＳ１〜第３操作スイッチＳ３のオンオフ状態に応じて、第１Ｗ相スイッチング装置ＳＷ１〜第３Ｗ相スイッチング装置ＳＷ３、第１Ｖ相スイッチング装置ＳＶ１〜第３Ｖ相スイッチング装置ＳＶ３、第１Ｕ相スイッチング装置ＳＵ１〜第３Ｕ相スイッチング装置ＳＵ３のオンオフ制御が行われる。
【０１０５】
たとえば、モードスイッチＭＳやファンスイッチＦＳをオンの操作位置に合わせ、第２操作スイッチＳ２がオン状態にされ、第１操作スイッチＳ１、第３操作スイッチＳ３がオフ状態にされた場合には、第２Ｗ相スイッチング装置ＳＷ２、第２Ｖ相スイッチング装置ＳＶ２、第２Ｕ相スイッチング装置ＳＵ２がオン状態にされ、他のスイッチング装置はオフ状態にされる。
【０１０６】
このときに、三相交流発電機のＲ相、Ｓ相、Ｔ相からのケーブルを、それぞれＵ相端子ＵＴ、Ｖ相端子ＶＴ、Ｗ相端子ＷＴに接続していると、三相交流発電機のＲ相からの電流が、第２Ｕ相抵抗器群ＲＵ２の抵抗器に流れうる状態にされ、三相交流発電機のＳ相からの電流が、第２Ｖ相抵抗器群ＲＶ２の抵抗器に流れうる状態にされ、三相交流発電機のＴ相からの電流が、第２Ｗ相抵抗器群ＲＷ２の抵抗器に流れうる状態にされる。
【０１０７】
電力供給制御部７７は、真空遮断機など、モードスイッチＭＳやファンスイッチＦＳのオンオフ状態に応じて、試験対象電源から第１抵抗ユニット３０ａ〜第３抵抗ユニット３０ｃへの電力供給を制御する（モードスイッチＭＳとファンスイッチＦＳの少なくとも一方がオフのときに、電力供給を遮断する）装置である。
【０１０８】
具体的には、電力供給制御部７７は、Ｕ相端子ＵＴから、第１Ｕ相抵抗器群ＲＵ１〜第３Ｕ相抵抗器群ＲＵ３の抵抗器に伸びる線、Ｖ相端子ＶＴから、第１Ｖ相抵抗器群ＲＶ１〜第３Ｖ相抵抗器群ＲＶ３の抵抗器に伸びる線、Ｗ相端子ＷＴから、第１Ｗ相抵抗器群ＲＷ１〜第３Ｗ相抵抗器群ＲＷ３の抵抗器に伸びる線に配置され、リレー（不図示）を介して、モードスイッチＭＳとファンスイッチＦＳの少なくとも一方がオフ状態にされている場合に、これらの３線を遮断する。
【０１０９】
リレー部９０の構成について説明する。
リレー部９０は、第４筐体２ｄ、第１Ｗ相スイッチング装置ＳＷ１〜第３Ｗ相スイッチング装置ＳＷ３、第１Ｖ相スイッチング装置ＳＶ１〜第３Ｖ相スイッチング装置ＳＶ３、第１Ｕ相スイッチング装置ＳＵ１〜第３Ｕ相スイッチング装置ＳＵ３を有する。
第４筐体２ｄは、第１Ｗ相スイッチング装置ＳＷ１〜第３Ｗ相スイッチング装置ＳＷ３、第１Ｖ相スイッチング装置ＳＶ１〜第３Ｖ相スイッチング装置ＳＶ３、第１Ｕ相スイッチング装置ＳＵ１〜第３Ｕ相スイッチング装置ＳＵ３を覆う。
【０１１０】
本実施形態では、第１Ｕ相スイッチング装置ＳＵ１が、電力供給制御部７７と第１Ｕ相抵抗器群ＲＵ１の間に配置され、第２Ｕ相スイッチング装置ＳＵ２が、電力供給制御部７７と第２Ｕ相抵抗器群ＲＵ２の間に配置され、第３Ｕ相スイッチング装置ＳＵ３が、電力供給制御部７７と第３Ｕ相抵抗器群ＲＵ３の間に配置される（図６参照）。
また、第１Ｖ相スイッチング装置ＳＶ１が、電力供給制御部７７と第１Ｖ相抵抗器群ＲＶ１の間に配置され、第２Ｖ相スイッチング装置ＳＶ２が、電力供給制御部７７と第２Ｖ相抵抗器群ＲＶ２の間に配置され、第３Ｖ相スイッチング装置ＳＶ３が、電力供給制御部７７と第３Ｖ相抵抗器群ＲＶ３の間に配置される。
また、第１Ｗ相スイッチング装置ＳＷ１が、電力供給制御部７７と第１Ｗ相抵抗器群ＲＷ１の間に配置され、第２Ｗ相スイッチング装置ＳＷ２が、電力供給制御部７７と第２Ｗ相抵抗器群ＲＷ２の間に配置され、第３Ｗ相スイッチング装置ＳＷ３が、電力供給制御部７７と第３Ｗ相抵抗器群ＲＷ３の間に配置される。
【０１１１】
ただし、各スイッチング装置は、抵抗器群の短絡点と当該抵抗器群の間に配置される形態であってもよい。
例えば、第１Ｕ相スイッチング装置ＳＵ１が、第１第１Ｕ相抵抗器群ＲＵ１と、第１Ｖ相抵抗器群ＲＶ１と、第１Ｗ相抵抗器群ＲＷ１とが短絡する箇所と第１Ｕ相抵抗器群ＲＵ１の間に配置される。
【０１１２】
第４筐体２ｄは、ｘ方向から見た側面が開口し、開口した領域を介して、抵抗ユニット３０、冷却部５０、制御部７０、及びリレー部９０に含まれる電気部材のケーブル接続が行われる。
このため、第１筐体２ａの第４筐体２ｄと接する側の面には、少なくともケーブルを通すための第１開口２ａ１が設けられる。
また、第２筐体２ｂの第４筐体２ｄと接する側の面には、少なくともケーブルを通すための第２開口２ｂ１が設けられる。
また、第３筐体２ｃの第４筐体２ｄと接する側の面には、少なくとも、ケーブルを通すための開口が設けられる。
【０１１３】
第４筐体２ｄには、スイッチング装置（第１Ｗ相スイッチング装置ＳＷ１〜第３Ｗ相スイッチング装置ＳＷ３、第１Ｖ相スイッチング装置ＳＶ１〜第３Ｖ相スイッチング装置ＳＶ３、第１Ｕ相スイッチング装置ＳＵ１〜第３Ｕ相スイッチング装置ＳＵ３）が収納される。
【０１１４】
本実施形態では、１つの抵抗ユニットを冷却する（１つの抵抗ユニットの開口に冷却風を送り込む）冷却装置が複数設けられる。
このため、１つの冷却装置で１つの抵抗ユニットを冷却する形態に比べて、大きさや定格容量が小さい冷却装置を用いることが出来る。
冷却装置の大きさや定格容量を小さく出来るので、複数の冷却装置を用いたとしても、大きな１つの冷却装置を用いる形態に比べて、冷却装置による騒音を軽減することが可能になる。
【０１１５】
また、抵抗器群の多くの領域に直接冷却風をあてることが出来るため、１つの冷却装置で冷却を行う形態に比べて、抵抗器群の温度上昇を抑えることが出来る。
また、大きさが小さい冷却装置を用いることが出来るため、厚さ方向（冷却ファンの軸方向）の寸法を抑えて、負荷試験装置１の小型化にも貢献出来る。
【０１１６】
特に、抵抗器が延びる方向（ｘ方向）に、複数の冷却装置が並べられた場合には、ｘ方向に長い抵抗器を使って抵抗ユニットを構成することが可能になる。
【０１１７】
なお、本実施形態では、１つの抵抗ユニットを冷却する複数の冷却装置は、抵抗器が延びる方向（ｘ方向）に並べられる形態を説明したが、当該抵抗ユニットが鉛直方向（ｙ方向）に長い場合などには、当該複数の冷却装置が、抵抗器が並べられる方向（ｙ方向）に並べられる形態であってもよい。
【０１１８】
また、抵抗器が延びる方向（ｘ方向）と、抵抗器が並べられる方向（ｙ方向）の何れか一方ではなく、両方に複数の冷却装置が並べられる形態であってもよい。
具体的には、ｘ方向に４個、ｙ方向に３個で、計４×３＝１２個の冷却装置が、抵抗ユニットの１つの保持部の開口と対向するように並べられる例が考えられる。
【０１１９】
また、本実施形態では、冷却装置が水平方向に冷却風を排出する形態を説明したが、冷却装置が鉛直方向に冷却風を排出する形態であってもよい。
この場合には、複数の冷却装置を含む冷却部の上方に冷却対象となる抵抗ユニットが配置される。
【０１２０】
また、抵抗ユニット３０の排気口には、第１排気口用フード３５ａが設けられ、冷却部５０の吸気口には、第１吸気口用フード５５ａが設けられてもよい（図７参照）。
【０１２１】
第１排気口用フード３５ａは、第１上面部３５ａ１と第１側面部３５ａ２を有する。
第１排気口用フード３５ａは、抵抗ユニット３０の排気口からｚ方向に突出し、下方向若しくは斜め下方向に開口する。
【０１２２】
第１吸気口用フード５５ａは、第２上面部５５ａ１と第２側面部５５ａ２を有する。
第１吸気口用フード５５ａは、冷却部５０の吸気内からｚ方向に突出し、下方向若しくは斜め下方向に開口する。
【０１２３】
冷却部５０は、第１吸気口用フード５５ａを介して、下方向若しくは斜め下方からの空気を吸い込み、吸い込んだ空気は、抵抗ユニット３０と第１排気口用フード３５ａを介して、下方向若しくは斜め下方に排出される。
【０１２４】
第１排気口用フード３５ａは、常時、抵抗ユニット３０からｚ方向に突出した状態が維持される形態であってもよいが、不使用時に、第１上面部３５ａ１と第１側面部３５ａ２が抵抗ユニット３０に収納されたり、第１上面部３５ａ１と第１側面部３５ａ２の少なくとも一部が折りたたまれたりする形態であってもよい。
この場合には、不使用時に、第１排気口用フード３５ａが抵抗ユニット３０からｚ方向に突出しない状態に出来る。
【０１２５】
第１排気口用フード３５ａの開閉は、手動で行われるものであってもよいが、不図示のアクチュエーターを介して電動で行われるものであってもよい。
また、第１排気口用フード３５ａは、閉じた状態になるように付勢され、冷却部５０からの冷却風によって、開いた状態にされる形態であってもよい。
この場合には、電気エネルギーを用いずに、自動的に第１排気口用フード３５ａの開閉を行うことが可能になる。
【０１２６】
第１吸気口用フード５５ａは、常時、冷却部５０からｚ方向に突出した状態が維持される形態であってもよいが、不使用時に、第２上面部５５ａ１と第２側面部５５ａ２が冷却部５０に収納されたり、第２上面部５５ａ１と第２側面部５５ａ２の少なくとも一部が折りたたまれたりする形態であってもよい。
この場合には、不使用時に、第１吸気口用フード５５ａが冷却部５０からｚ方向に突出しない状態に出来る。
【０１２７】
第１吸気口用フード５５ａの開閉は、手動で行われるものであってもよいが、不図示のアクチュエーターを介して電動で行われるものであってもよい。
【０１２８】
また、第１筐体２ａ〜第４筐体２ｄの上部を覆う屋根部２ｅが設けられてもよい（図８参照）。
屋根部２ｅは、寄棟造など、上部に傾斜面が設けられる形状を有する。
これにより、負荷試験装置１が屋外に設置された場合に、第１筐体２ａ〜第４筐体２ｄの上部に雨や雪が直接当たるのを防ぐことが出来る。また、屋根部２ｅに雪が積もった場合でも、傾斜面を使って容易に下方に落とすことが出来る。
【０１２９】
また、第１筐体２ａ〜第４筐体２ｄの下部に、これらを支える土台部２ｆが設けられても良い。
第１筐体２ａ〜第４筐体２ｄに含まれる電気部品が、土台部２ｆの高さ分だけ高い位置に配置される。
このため、負荷試験装置１が屋外に設置され、負荷試験装置１の周囲に雪が積もった場合でも、負荷試験装置１を構成する電気部品に雪や雪が解けた水が触れる可能性を低く出来る。
【０１３０】
また、冷却部５０の冷却装置（第１冷却装置５３ａ〜第６冷却装置５３ｆ）と、抵抗ユニット３０（第１抵抗ユニット３０ａ〜第３抵抗ユニット３０ｃ）の間には、拡散部５７が設けられる。
拡散部５７は、第１冷却装置５３ａ〜第６冷却装置５３ｆから抵抗ユニット発せられる冷却風を、ｘｙ方向（特にｘ方向）に拡散させるもので、例えば、ｙ方向に延びる棒状部材で構成される（図９、図１０参照）。
本実施形態では、拡散部５７は、ｙ方向に延びる１２本の棒状部材で構成される例を示すが、棒状部材の数は１２本に限るものではない。
また、拡散部５７は、冷却装置ごとに別々に設けられる形態であってもよい。
ただし、拡散部５７は、ｘｚ断面が冷却部５０側が尖った略Ｖ字形状などで構成されてもよい。
拡散部５７を冷却部５０と抵抗ユニット３０の間に設けることにより、冷却風をｘ方向などに拡散させ、抵抗器の全体に略均一に冷却風を触れさせることが可能になる。
【０１３１】
また、拡散部５７は、冷却部５０の冷却装置（第１冷却装置５３ａ〜第６冷却装置５３ｆ）の排気口を閉じる開閉扉で構成されてもよい（図１１参照）。
この場合には、不使用時は、付勢により拡散部５７が冷却部５０の冷却装置（第１冷却装置５３ａ〜第６冷却装置５３ｆ）の排気口を閉じ、使用時は、冷却風により当該開閉扉が押されて開き、拡散部５７が冷却部５０の冷却装置（第１冷却装置５３ａ〜第６冷却装置５３ｆ）の排気口を開く。
これにより、不使用時は、抵抗ユニット３０に風が流れないので、埃などが外部から侵入しにくくなる。
【０１３２】
当該開閉扉には、冷却部５０の冷却装置（第１冷却装置５３ａ〜第６冷却装置５３ｆ）がオフ状態の時に、当該開閉扉が開くのを抑制し、オン状態の時に、かかる抑制状態を解除するストッパー５７ａが設けられるのが望ましい（図１１参照）。
ストッパー５７ａは、第１冷却装置５３ａなどのオンオフ状態に連動して、オンオフ制御される。
具体的には、第１冷却装置５３ａ〜第６冷却装置５３ｆの少なくとも１つがオン状態にされた時に、ストッパー５７ａによる開閉扉が開くのを抑制する状態が解除され、冷却風によって開閉扉が開く。
また、第１冷却装置５３ａ〜第６冷却装置５３ｆのすべてがオフ状態にされた時、開閉扉が閉じた後に、ストッパー５７ａは開閉扉が開くのを抑制し、開閉扉が閉じた状態を維持する。
これにより、冷却装置の不使用時に開閉扉が風で開くのを防止出来る。
【０１３３】
なお、当該開閉扉と同じように、付勢により閉じ、冷却風による負圧で開く開閉扉が、冷却部５０の吸気口に設けられる形態であってもよい。
この場合、吸気口用フードを設ける形態よりも、冷却部５０からｚ方向に飛び出ない形で、不使用時に冷却部５０の吸気口を閉じ、使用時に冷却部５０の吸気口を開くことが出来る。
【０１３４】
また、当該開閉扉と同じように、付勢により閉じ、冷却風によって押されて開く開閉扉が、抵抗ユニット３０の排気口に設けられる形態であってもよい。
この場合、排気口用フードを設ける形態よりも、抵抗ユニット３０からｚ方向に飛び出ない形で、不使用時に抵抗ユニット３０の排気口を閉じ、使用時に抵抗ユニット３０の排気口を開くことが出来る。
【０１３５】
また、第１抵抗ユニット３０ａと第１筐体２ａとを繋ぐ第１碍子３３ａが、第１保持部３１ａの下部に取り付けられる形態を説明した。
同様に、第２抵抗ユニット３０ｂと第１抵抗ユニット３０ａとを繋ぐ第２碍子３３ｂが、第２保持部３１ｂの下部に取り付けられる形態を説明した。
同様に、第３抵抗ユニット３０ｃと第２抵抗ユニット３０ｂとを繋ぐ第３碍子３３ｃが、第３保持部３１ｃの下部に取り付けられる形態を説明した。
【０１３６】
しかしながら、各抵抗ユニットの外形を構成する直方体（保持部）の上部と下部から水平方向（ｘ方向、ｚ方向など）に突出する突起部を設け、当該突起部の間に碍子を取り付ける形態であってもよい（図９、図１０参照）。
【０１３７】
具体的には、第１保持部３１ａの上部には、ｘ方向に突出する第１上突起部３２ａが設けられる。
第２保持部３１ｂの上部には、ｘ方向に突出する第２上突起部３２ｂが設けられる。
第３保持部３１ｃの上部には、ｘ方向に突出する第３上突起部３２ｃが設けられる。
第１保持部３１ａの下部には、ｘ方向に突出する第１下突起部３２ｄが設けられる。
第２保持部３１ｂの下部には、ｘ方向に突出する第２下突起部３２ｅが設けられる。
第３保持部３１ｃの下部には、ｘ方向に突出する第３下突起部３２ｆが設けられる。
【０１３８】
第１上突起部３２ａ〜第３上突起部３２ｃは、ｘ方向から見て略Ｌ字形状を有し、ｘｚ面と平行な第１面と、当該第１面からｙ方向下方に延びるｘｙ平面と平行な第２面を有する。
第１下突起部３２ｄ〜第３下突起部３２ｆは、ｘ方向から見て略Ｌ字形状を有し、ｘｚ面と平行な第３面と、当該第３面からｙ方向上方に延びるｘｙ平面と平行な第４面を有する。
【０１３９】
第１碍子３３ａは、第１下突起部３２ｄの第３面と、第１筐体２ａとの間に取り付けられる。
第２碍子３３ｂは、第２下突起部３２ｅの第３面と、第１上突起部３２ａの第１面と間に取り付けられる。
第３碍子３３ｃは、第３下突起部３２ｆの第３面と、第２上突起部３２ｂの第１面との間に取り付けられる。
【０１４０】
上突起部の下部、及び下突起部の上部の空きスペースを使って、碍子をネジ止めしたり出来るので、保持部の下部に取り付けられる形態に比べて、碍子の取り付けを容易に出来る。
【０１４１】
なお、図９〜図１１に示すように、１つの保持部のｘ方向に突出する上突起部と下突起部が別体であってもよいし、図２０と図２１に示すように、一体で構成されてもよい。
上突起部に相当する部分と下突起部に相当する部分が一体的に構成される場合には、第１保持部３１ａには、ｘ方向に突出する第１突出領域３２ａｄが設けられる。
第２保持部３１ｂには、ｘ方向に突出する第２突出領域３２ｂｅが設けられる。
第３保持部３１ｃには、ｘ方向に突出する第３突出領域３２ｃｆが設けられる。
【０１４２】
第１突出領域３２ａｄ、第２突出領域３２ｂｅ、及び第３突出領域３２ｃｆは、ｘ方向から見て略コの字形状（図２０参照）、若しくは略矩形形状（図２１参照）を有し、ｘｚ面に平行な上面と下面、当該上面と下面をつなぐ側面を有する。
第１碍子３３ａは、第１突出領域３２ａｄの下部（下面）と、第１筐体２ａとの間に取り付けられる。
第２碍子３３ｂは、第２突出領域３２ｂｅの下部（下面）と、第１突出領域３２ａｄの上部（上面）との間に取り付けられる。
第３碍子３３ｃは、第３突出領域３２ｃｆの下部（下面）と、第２突出領域３２ｂｅの上部（上面）との間に取り付けられる。
【０１４３】
上突起部に相当する部分と下突起部に相当する部分が、突出領域として、一体的に形成されるため、上突起部と下突起部とが別体で構成される形態に比べて、碍子を取り付ける部分の強度を高めることが出来る。
特に、図２１に示すように、突出領域が枠形状で構成される場合には、図２０に示すように、突出領域が棒形状で構成される形態に比べて、更に強度を高めることが出来る。
【０１４４】
また、抵抗ユニット３０の排気口には、第２排気口用フード３５ｂが設けられ、冷却部５０の吸気口には、第２吸気口用フード５５ｂが設けられてもよい（図１２参照）。
【０１４５】
第２排気口用フード３５ｂは、第１下面部３５ｂ１と第３側面部３５ｂ２を有する。
第２排気口用フード３５ｂは、抵抗ユニット３０の排気口からｚ方向に突出し、上方向若しくは斜め上方向に開口する。
【０１４６】
第２吸気口用フード５５ｂは、第２下面部５５ｂ１と第４側面部５５ｂ２を有する。
第２吸気口用フード５５ｂは、冷却部５０の吸気内からｚ方向に突出し、上方向若しくは斜め上方向に開口する。
【０１４７】
冷却部５０は、第２吸気口用フード５５ｂを介して、上方向若しくは斜め上方からの空気を吸い込み、吸い込んだ空気は、抵抗ユニット３０と第２排気口用フード３５ｂを介して、上方向若しくは斜め上方に排出される。
この場合、第２排気口用フード３５ｂを介して排出される熱風が、第２排気口用フード３５ｂの近くに居る作業者などに当たりにくく出来る。
【０１４８】
ただし、上方向若しくは斜め上方向に開口する開口部から雨や雪が浸入する可能性があるため、第１筐体２ａ〜第４筐体２ｄ、第２排気口用フード３５ｂ、第２吸気口用フード５５ｂの上部を覆う屋根部２ｅが設けられるのが望ましい（図１３参照）。
【０１４９】
また、図１〜図１３で示される形態では、抵抗ユニット３０と冷却部５０とリレー部９０が１組だけ設けられる形態を説明したが、複数組設けられて、１つの制御部７０を使って、複数組の抵抗ユニット３０と冷却部５０とリレー部９０を使って負荷試験が行われる形態であってもよい（図１４参照）。
【０１５０】
図１４は、負荷試験装置１が、制御部７０にｘ方向で隣接するリレー部９０を含む第１の抵抗グループＧ１と当該第１の抵抗グループＧ１にｘ方向で隣接する第２の抵抗グループＧ２を含む例を示す。
この場合、第１の抵抗グループＧ１の第１筐体２ａ及び第２筐体２ｂにおける第２の抵抗グループＧ２と接する側の面には、少なくともケーブルを通す開口が設けられるのが望ましい。
これにより、殆どのケーブルが筐体の外側に見えない状態で、負荷試験装置１を組み上げることが可能になる。
また、第２の抵抗グループＧ２にｘ方向で隣接する第３の抵抗グループ（不図示）を更に設ける形態であってもよい。
【０１５１】
制御部７０の各部（操作部７１、制御端子部７５、電力供給制御部７７）は、第１の抵抗グループＧ１の冷却ファンなどに接続され、且つ第２の抵抗グループＧ２の冷却ファンなどに接続される。
【０１５２】
なお、第２の抵抗グループＧ２の抵抗ユニット３０のそれぞれに設けられる抵抗器群の数は、第１の抵抗グループＧ１の抵抗ユニット３０のそれぞれに設けられる抵抗器群の数と同じでもよいが、第１の抵抗グループＧ１の抵抗ユニット３０のそれぞれに設けられる抵抗器群の数よりも少なくても良い。
【０１５３】
すなわち、第１の抵抗グループＧ１における第１抵抗ユニット３０ａ〜第３抵抗ユニット３０ｃの各抵抗器群への電力供給制御を行う、第１の抵抗グループＧ１におけるリレー部９０のスイッチング装置（第１Ｕ相スイッチング装置ＳＵ１など）の数は、第２の抵抗グループＧ２における第１抵抗ユニット３０ａ〜第３抵抗ユニット３０ｃの各抵抗器群への電力供給制御を行う、第２の抵抗グループＧ２におけるリレー部９０のスイッチング装置の数よりも多い。
【０１５４】
この場合、負荷抵抗値の切り替え幅が小さい負荷試験を行う際には、主に第１の抵抗グループＧ１が用いられ、負荷抵抗値の切り替え幅が大きい負荷試験を行う際には、主に第２の抵抗グループＧ２が用いられ、負荷抵抗値が大きい負荷試験を行う際には、第１の抵抗グループＧ１と第２の抵抗グループＧ２の両方が用いられる。
これにより、第１の抵抗グループＧ１だけが設けられる形態に比べて、制御部７０を共用しながら、負荷量の大きい負荷試験を行うことが可能になる。
【０１５５】
第２の抵抗グループＧ２の抵抗ユニット３０のそれぞれに設けられる抵抗器群が１つの場合には、第２の抵抗グループＧ２にリレー部９０は設けられず、リレー部９０を介さずに、ＶＣＳ（真空開閉器）を介して、制御部７０の電力供給制御部７７と第２の抵抗グループＧ２の抵抗ユニット３０のそれぞれに設けられる抵抗器群とが接続される（図１５、図１６参照）。
図１５は、負荷試験装置１のうち、第１の抵抗グループＧ１と制御部７０の接続関係を示し、第２の抵抗グループＧ２の詳細は省略している。
図１６は、負荷試験装置１のうち、第２の抵抗グループＧ２と制御部７０の接続関係を示し、第１の抵抗グループＧ１の詳細は省略している。
ＶＣＳは、第２の抵抗グループＧ２の抵抗ユニット３０に設けられる形態であってもよいし、制御部７０に設けられる形態であってもよい。
【０１５６】
また、冷却部５０と抵抗ユニット３０の間には、冷却風を抵抗ユニット３０における抵抗器がある部分に集中させるための狭窄構造のフード（狭窄部５８）が設けられても良い（図１８参照）。
【０１５７】
狭窄部５８は、冷却部５０側が広い下底（下底開口）で、抵抗ユニット３０側が狭い上底（上底開口）で、略四角錐台形状の外形を有し、下底と上底が開口する。
下段の狭窄部５８の上底は、第１保持部３１ａと接しない状態で、第１保持部３１ａの内側に配置される。
中段の狭窄部５８の上底は、第２保持部３１ｂと接しない状態で、第２保持部３１ｂの内側に配置される。
上段の狭窄部５８の上底は、第３保持部３１ｃと接しない状態で、第３保持部３１ｃの内側に配置される。
狭窄部５８を設けることにより、冷却部５０からの冷却風を第１保持部３１ａ〜第３保持部３１ｃの内側に集中させることが可能になる。
【０１５８】
狭窄部５８に、更に、拡散部５７が設けられても良い（図１９参照）。
図１９は、狭窄部５８の上底開口に棒状の拡散部５７が設けられた例を示す。
【０１５９】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【０１６０】
１  負荷試験装置
１ａ〜１ｃ  第１負荷試験部〜第３負荷試験部
２ａ  第１筐体（抵抗ユニットの筐体）
２ａ１  第１開口
２ｂ  第２筐体（冷却部の筐体）
２ｂ１  第２開口
２ｃ  第３筐体（制御部の筐体）
２ｄ  第４筐体（リレー部の筐体）
２ｅ  屋根部
２ｆ  土台部
３  接続部材
４  制御線
３０  抵抗ユニット
３０ａ〜３０ｃ  第１抵抗ユニット〜第３抵抗ユニット
３１ａ〜３１ｃ  第１保持部〜第３保持部
３１ａ１〜３１ｃ１  第１開口〜第３開口
３２ａ〜３２ｃ  第１上突起部〜第３上突起部
３２ｄ〜３２ｆ  第１下突起部〜第３下突起部
３２ａｄ  第１突出領域
３２ｂｅ  第２突出領域
３２ｃｆ  第３突出領域
３３ａ〜３３ｃ  第１碍子〜第３碍子
３５ａ  第１排気口用フード
３５ａ１  第１上面部
３５ａ２  第１側面部
３５ｂ  第２排気口用フード
３５ｂ１  第１下面部
３５ｂ２  第３側面部
５０  冷却部
５０ａ〜５０ｃ  第１冷却部〜第３冷却部
５３ａ〜５３ｆ  第１冷却装置〜第６冷却装置
５５ａ  第１吸気口用フード
５５ａ１  第２上面部
５５ａ２  第２側面部
５５ｂ  第２吸気口用フード
５５ｂ１  第２下面部
５５ｂ２  第４側面部
５７  拡散部
５７ａ  ストッパー
５８  狭窄部
７０  制御部
７１  操作部
７３  電源端子部
７５  制御端子部
７７  電力供給制御部
９０  リレー部
ＦＳ  ファンスイッチ
Ｇ１  第１の抵抗グループ
Ｇ２  第２の抵抗グループ
ＭＳ  モードスイッチ
ＲＵ１〜ＲＵ３  第１Ｕ相抵抗器群〜第３Ｕ相抵抗器群
ＲＶ１〜ＲＶ３  第１Ｖ相抵抗器群〜第３Ｖ相抵抗器群
ＲＷ１〜ＲＷ３  第１Ｗ相抵抗器群〜第３Ｗ相抵抗器群
Ｓ１〜Ｓ３  第１操作スイッチ〜第３操作スイッチ
ＳＵ１〜ＳＵ３  第１Ｕ相スイッチング装置〜第３Ｕ相スイッチング装置
ＳＶ１〜ＳＶ３  第１Ｖ相スイッチング装置〜第３Ｖ相スイッチング装置
ＳＷ１〜ＳＷ３  第１Ｗ相スイッチング装置〜第３Ｗ相スイッチング装置
ＵＴ  Ｕ相端子
ＶＴ  Ｖ相端子
ＷＴ  Ｗ相端子
【図１】
2020106548.tif 000003
【図２】
2020106548.tif 000004
【図３】
2020106548.tif 000005
【図４】
2020106548.tif 000006
【図５】
2020106548.tif 000007
【図６】
2020106548.tif 000008
【図７】
2020106548.tif 000009
【図８】
2020106548.tif 000010
【図９】
2020106548.tif 000011
【図１０】
2020106548.tif 000012
【図１１】
2020106548.tif 000013
【図１２】
2020106548.tif 000014
【図１３】
2020106548.tif 000015
【図１４】
2020106548.tif 000016
【図１５】
2020106548.tif 000017
【図１６】
2020106548.tif 000018
【図１７】
2020106548.tif 000019
【図１８】
2020106548.tif 000020
【図１９】
2020106548.tif 000021
【図２０】
2020106548.tif 000022
【図２１】
2020106548.tif 000023
【手続補正書】
【提出日】令和2年4月8日(2020.4.8)
【手続補正１】
【補正対象書類名】明細書
【補正対象項目名】０００６
【補正方法】変更
【補正の内容】
【０００６】
本発明に係る負荷試験装置は、複数の第１抵抗器と、複数の第１抵抗器を保持する第１保持部を有する第１抵抗ユニットと、複数の第２抵抗器と、複数の第２抵抗器を保持する第２保持部を有する第２抵抗ユニットとを備える。第２保持部は、第２碍子を介して、第１保持部の上に配置される。第２碍子は、第１保持部の上部から水平方向に突出する第１上突起部と、第２保持部の下部から水平方向に突出する第２下突起部との間に取り付けられる。
【手続補正２】
【補正対象書類名】明細書
【補正対象項目名】０００７
【補正方法】変更
【補正の内容】
【０００７】
上突起部の下部、及び下突起部の上部の空きスペースを使って、碍子をネジ止めしたり出来るので、保持部の下部に取り付けられる形態に比べて、碍子の取り付けを容易になり、各部の組立、制御部から抵抗ユニットへの配線、制御部から冷却部への配線が容易に行える。
【手続補正３】
【補正対象書類名】明細書
【補正対象項目名】０００８
【補正方法】変更
【補正の内容】
【０００８】
好ましくは、負荷試験装置は、複数の第３抵抗器と、複数の第３抵抗器を保持する第３保持部を有する第３抵抗ユニットを更に備える。第３保持部は、第３碍子を介して、第２保持部の上に配置される。第１抵抗ユニットの下面と側面と、第２抵抗ユニットの側面と、第３抵抗ユニットの上面と側面は、筐体に覆われる。第３碍子は、第２保持部の上部から水平方向に突出する第２上突起部と、第３保持部の下部から水平方向に突出する第３下突起部との間に取り付けられる。
【手続補正４】
【補正対象書類名】明細書
【補正対象項目名】００１０
【補正方法】変更
【補正の内容】
【００１０】
また、好ましくは、第１保持部は、第１碍子を介して、第１抵抗ユニットを保持する筐体の上に配置される。第１碍子は、第１保持部の下部から水平方向に突出する第１下突起部と、筐体の間に取り付けられる。第１上突起部は、水平方向から見て略Ｌ字形状を有し、水平面と平行な第１面と、水平面と垂直な第２面を有する。第１上突起部と第２下突起部は、それぞれ、水平方向から見て略Ｌ字形状を有し、水平面と平行な第３面と、水平面と垂直な第４面を有する。第１碍子は、第１下突起部の第３面と、筐体との間に取り付けられる。第２碍子は、第２下突起部の第３面と、第１上突起部の第１面との間に取り付けられる。
【手続補正５】
【補正対象書類名】明細書
【補正対象項目名】００１１
【補正方法】変更
【補正の内容】
【００１１】
また、好ましくは、複数の第１抵抗器に冷却風を送り込む冷却装置を含む第１冷却部と第１抵抗ユニットの間には、冷却風を拡散させる拡散部が設けられる。拡散部は、付勢により、第１冷却部の排気口を閉じる開閉扉で構成される。開閉扉は、第１冷却部から排出される冷却風により開かれる。
【手続補正６】
【補正対象書類名】明細書
【補正対象項目名】００１３
【補正方法】変更
【補正の内容】
【００１３】
また、好ましくは、複数の第１抵抗器に冷却風を送り込む冷却装置を含む第１冷却部の吸気口と排気口と第１抵抗ユニットの排気口の少なくとも１つには、付勢によって閉じ、第１冷却部の冷却風によって開く開閉扉が設けられる。
【手続補正７】
【補正対象書類名】明細書
【補正対象項目名】００１５
【補正方法】変更
【補正の内容】
【００１５】
また、好ましくは、負荷試験装置は、複数の第１抵抗器に冷却風を送り込む冷却装置を含む第１冷却部と、複数の第２抵抗器に冷却風を送り込む冷却装置を含む第２冷却部と、試験対象電源に接続される電源端子部と、操作部とを含む制御部と、電源端子部と第１抵抗ユニットに接続される第１スイッチング装置と、電源端子部と第２抵抗ユニットに接続される第２スイッチング装置を含むリレー部とを更に備える。第１冷却部と第１抵抗ユニットは、複数の第１抵抗器のそれぞれが延びる第１方向と第１方向に垂直で複数の第１抵抗器が並べられる第２方向に垂直な第３方向に並べられる。第１抵抗ユニットと第２抵抗ユニットを含む抵抗ユニットと、第１冷却部と第２冷却部を含む冷却部を有する抵抗グループと、リレー部が、複数組設けられる。複数組の抵抗グループは、制御部と接続される。複数組の抵抗グループが第１方向に並べられる。
【手続補正８】
【補正対象書類名】明細書
【補正対象項目名】００２０
【補正方法】変更
【補正の内容】
【００２０】
また、好ましくは、第１抵抗ユニットの排気口には、排気口用フードが設けられる。排気口用フードには、閉じた状態になるように付勢され、複数の第１抵抗器に冷却風を送り込む冷却装置を含む第１冷却部からの冷却風によって開いた状態にされる。
【手続補正９】
【補正対象書類名】明細書
【補正対象項目名】００２２
【補正方法】変更
【補正の内容】
【００２２】
また、好ましくは、負荷試験装置は、試験対象電源に接続される電源端子部と、操作部とを含む制御部と、電源端子部と第１抵抗ユニットに接続される第１スイッチング装置と、電源端子部と第２抵抗ユニットに接続される第２スイッチング装置を含むリレー部とを更に備える。第１抵抗ユニットの排気口には、第１排気口用フードが設けられる。複数の第１抵抗器に冷却風を送り込む冷却装置を含む第１冷却部の吸気口には、第１吸気口用フードが設けられる。第２抵抗ユニットの排気口には、第２排気口用フードが設けられる。複数の第２抵抗器に冷却風を送り込む冷却装置を含む第２冷却部の吸気口には、第２吸気口用フードが設けられる。負荷試験装置は、第１抵抗ユニットと、第２抵抗ユニットと、第１冷却部と、第２冷却部と、制御部と、リレー部を覆う筐体の上部を覆う屋根部と、筐体の下部に設けられた土台部とを更に備える。屋根部は、寄棟造である。
【手続補正１０】
【補正対象書類名】明細書
【補正対象項目名】００２４
【補正方法】変更
【補正の内容】
【００２４】
また、好ましくは、負荷試験装置は、試験対象電源に接続される電源端子部と、操作部とを含む制御部と、電源端子部と第１抵抗ユニットに接続される第１スイッチング装置と、電源端子部と第２抵抗ユニットに接続される第２スイッチング装置を含むリレー部とを更に備える。第１抵抗ユニットの排気口には、上方向若しくは斜め上方向に開口する第１排気口用フードが設けられる。複数の第１抵抗器に冷却風を送り込む冷却装置を含む第１冷却部の吸気口には、上方向若しくは斜め上方向に開口する第１吸気口用フードが設けられる。第２抵抗ユニットの排気口には、上方向若しくは斜め上方向に開口する第２排気口用フードが設けられる。複数の第２抵抗器に冷却風を送り込む冷却装置を含む第２冷却部の吸気口には、上方向若しくは斜め上方向に開口する第２吸気口用フードが設けられる。負荷試験装置は、第１抵抗ユニットと、第２抵抗ユニットと、第１冷却部と、第２冷却部と、制御部と、リレー部を覆う筐体と、第１排気口用フードと、第２排気口用フードと、第１吸気口用フードと、第２吸気口用フードの上部を覆う屋根部とを更に備える。
【手続補正１１】
【補正対象書類名】明細書
【補正対象項目名】００２６
【補正方法】変更
【補正の内容】
【００２６】
本発明に係る負荷試験装置は、複数の第１抵抗器と、複数の第１抵抗器を保持する第１保持部を有する第１抵抗ユニットと、複数の第２抵抗器と、複数の第２抵抗器を保持する第２保持部を有する第２抵抗ユニットを備える。第２保持部は、第２碍子を介して、第１保持部の上に配置される。第２碍子は、第１突出領域の上部と、第２保持部から水平方向に突出する第２突出領域の下部との間に取り付けられる。
【手続補正１２】
【補正対象書類名】明細書
【補正対象項目名】００２９
【補正方法】変更
【補正の内容】
【００２９】
また、好ましくは、第１保持部は、第１碍子を介して、第１抵抗ユニットを保持する筐体の上に配置される。第１碍子は、第１保持部から水平方向に突出する第１突出領域の下部と、筐体の間に取り付けられる。第１突出領域は、水平方向から見て矩形形状の枠で構成される。第２突出領域は、水平方向から見て矩形形状の枠で構成される。